(57)【要約】【課題】オーバードライブ駆動を行っても画質の低下を抑えることができる表示制御装置を提供する。【解決手段】同期制御部３１がスクリーン２１における透過状態と散乱状態との切り替え制御を、スクリーン２１に立ち上げ駆動電圧と、立ち上げ駆動電圧印加後に該立ち上げ駆動電圧よりも低い電位差をスクリーン２１に与える安定駆動電圧と、を印加することによって行う。そして、立ち上げ駆動電圧印加後に、スクリーン２１に接地電位を一定期間与えて、スクリーン２１に蓄積された電荷を、スクリーン２１から排出する。【選択図】図１
2016180875.tif 000002
【特許請求の範囲】
【請求項１】
光に対して透過状態と散乱状態とを切り替え可能なスクリーンの制御を行う表示制御装置であって、
立ち上げ電圧及び前記立ち上げ電圧印加後に該立ち上げ電圧よりも低い電位差を前記スクリーンに与える維持電圧と、を含む駆動電圧を、前記スクリーンに印加するスクリーン制御部を有し、
前記スクリーン制御部は、前記立ち上げ電圧印加後に、前記スクリーンに蓄積された電荷を、前記スクリーンから排出する、
ことを特徴とする表示制御装置。
【請求項２】
前記スクリーン制御部は、前記立ち上げ電圧を印加した後かつ前記維持電圧を印加する前に、前記維持電圧よりも低い電位差を前記スクリーンに与える電荷排出電圧を印加することを特徴とする請求項１記載の表示制御装置。
【請求項３】
前記スクリーン制御部は、前記電荷排出電圧を予め定めた一定の期間印加することを特徴とする請求項２に記載の表示制御装置。
【請求項４】
前記スクリーン制御部は、前記立ち上げ電圧印加後、前記駆動電圧の電位差と前記スクリーンに蓄積された電荷とによって生成される電位差とを比較して、前記スクリーンに蓄積された電荷によって生成される電位差が前記駆動電圧の電位差よりも大きい場合に、前記電荷排出電圧を印加することを特徴とする請求項２記載の表示制御装置。
【請求項５】
光に対して透過状態と散乱状態とを切り替え可能なスクリーンの制御を行う表示制御方法であって、
立ち上げ電圧及び前記立ち上げ電圧印加後に該立ち上げ電圧よりも低い電位差を前記スクリーンに与える維持電圧を含む駆動電圧を、前記スクリーンに印加するスクリーン制御工程を含み、
前記スクリーン制御工程は、前記立ち上げ電圧印加後に、前記スクリーンに蓄積された電荷を、前記スクリーンから排出する、
ことを特徴とする表示制御方法。
【発明の詳細な説明】
【技術分野】
【０００１】
本発明は、映像を表示するスクリーン等の表示を制御する表示制御装置に関する。
【背景技術】
【０００２】
例えばガラスのような透明体をスクリーンとして、そのスクリーンが散乱状態のときにプロジェクタ等から投射した画像をそのスクリーンに表示する表示装置は、例えば特許文献１のように既に知られている。
【０００３】
この種のスクリーンにおいては、透過状態と散乱状態とをとることができる光学層の材料として液晶が用いられていることが多い。
【０００４】
特許文献１のようなスクリーンに液晶を用いる場合、散乱状態と透過状態を高速に切り替えるため、液晶の応答を高速にする必要がある。液晶を高速応答させる技術としては、通常の駆動電圧による電位差よりも高い電位差を与える技術（オーバードライブ駆動とも呼ばれる）が周知である（例えば、特許文献２を参照）。
【先行技術文献】
【特許文献】
【０００５】
【特許文献１】特開２００４−１８４９７９号公報
【特許文献２】特開２００９−７５３８４号公報
【発明の概要】
【発明が解決しようとする課題】
【０００６】
特許文献１に記載されたようなスクリーンで、映像表示と透明性とを両立させるためには、１フレーム期間内に透過状態と散乱状態とを変化させる必要がある。そこで、駆動電圧として数ｍｓ程度で立ち上げることができるような高い電圧を加えた場合、高速に散乱状態となるものの、その後の時間経過で散乱状態が低下する（透過率が低下後、上昇する）現象が発生する。このような現象が発生すると、表示される映像が薄くなる等画質が低下してしまう。
【０００７】
そこで、高速に立ち上げるための駆動電圧（立ち上げ電圧）を印加後に安定して散乱状態を維持できる電圧（維持電圧）を印加することを特許文献２では行っている。しかし特許文献１に記載されたスクリーンの場合、立ち上げ電圧後に維持電圧を印加してもスクリーンの静電容量成分により、速やかに維持電圧による電位差まで低下しないという問題がある。
【０００８】
特許文献１に記載されたスクリーンは、スクリーン全面を一括で散乱状態と透過状態とに変化させるので、通常の電子機器やテレビ等に使用されている液晶よりもセルのサイズが非常に大きく、そのため、１つのセルの有する静電容量成分も非常に大きい。
【０００９】
従って、特許文献２のような通常の電子機器やテレビ等に使用されている液晶を対象にした技術を単純に利用しても、上記のような速やかに維持電圧による電位差まで低下しないという問題を解決することができない。
【００１０】
そこで、本発明は、上述した問題に鑑み、例えば、オーバードライブ駆動を行っても画質の低下を抑えることができる表示制御装置を提供することを課題とする。
【課題を解決するための手段】
【００１１】
上記課題を解決するために、請求項１に記載の発明は、光に対して透過状態と散乱状態とを切り替え可能なスクリーンの制御を行う表示制御装置であって、立ち上げ電圧及び前記立ち上げ電圧印加後に該立ち上げ電圧よりも低い電位差を前記スクリーンに与える維持電圧と、を含む駆動電圧を、前記スクリーンに印加するスクリーン制御部を有し、前記スクリーン制御部は、前記立ち上げ電圧印加後に、前記スクリーンに蓄積された電荷を、前記スクリーンから排出する、ことを特徴とする表示制御装置である。
【００１２】
また、請求項５に記載の発明は、光に対して透過状態と散乱状態とを切り替え可能なスクリーンの制御を行う表示制御方法であって、立ち上げ電圧及び前記立ち上げ電圧印加後に該立ち上げ電圧よりも低い電位差を前記スクリーンに与える維持電圧を含む駆動電圧を、前記スクリーンに印加するスクリーン制御工程と、前記立ち上げ電圧印加後に、前記スクリーンに蓄積された電荷を、前記スクリーンから排出する電荷排出工程と、含むことを特徴とする表示制御方法である。
【図面の簡単な説明】
【００１３】
【図１】本発明の第１の実施例にかかる表示制御装置を備えた表示装置の概略構成図である。
【図２】図１に示されたスクリーンの模式的な断面図である。
【図３】図１に示されたスクリーンの光学特性と同期して投射するプロジェクタの説明図である。
【図４】図１に示された表示装置における映像光による映像とスクリーンの背景が重なる表示状態の説明図である。
【図５】図１に示された同期制御部の機能的構成図である。
【図６】図１に示された同期制御部の動作のタイミングチャートである。
【図７】図１に示された表示制御装置と従来の表示制御装置との比較を示したグラフである。
【図８】本発明の第２の実施例にかかる同期制御部の機能的構成図である。
【図９】図８に示された同期制御部の動作のタイミングチャートである。
【図１０】本発明の他の実施例にかかるスクリーンの構成の模式的な正面図である。
【発明を実施するための形態】
【００１４】
以下、本発明の一実施形態にかかる表示装置を説明する。本発明の一実施形態にかかる表示制御装置は、スクリーン制御部が立ち上げ電圧及び立ち上げ電圧印加後に該立ち上げ電圧よりも低い電位差をスクリーンに与える維持電圧を含む駆動電圧を、スクリーンに印加する。そして、スクリーン制御部は、立ち上げ電圧印加後に、スクリーンに蓄積された電荷を、スクリーンから排出する。このようにすることにより、電荷を排出することができるので、スクリーンに印加される電位差が速やかに維持電圧による電位差まで低下し、オーバードライブ駆動を行っても透過率が低下後上昇する現象により画質が低下することを抑えることができる。
【００１５】
また、スクリーン制御部は、立ち上げ電圧を印加した後かつ維持電圧を印加する前に、維持電圧よりも低い電位差をスクリーンに与える電荷排出電圧を印加してもよい。このようにすることにより、立ち上げ電圧印加によって蓄積される電荷を排出することができる。したがって、速やかに維持電圧による電位差まで低下させることができる。
【００１６】
また、スクリーン制御部は、前記電荷排出電圧を予め定めた一定の期間印加してもよい。このようにすることにより、一定の期間電荷が排出されるので、確実にスクリーンに印加される電位差を低下させることができる。
【００１７】
また、スクリーン制御部は、立ち上げ電圧印加後、駆動電圧の電位差とスクリーンに蓄積された電荷とによって生成される電位差とを比較して、スクリーンに蓄積された電荷によって生成される電位差が駆動電圧の電位差よりも大きい場合に、電荷排出電圧を印加するようにしてもよい。このようにすることにより、実際の駆動電圧の電位差とスクリーンに蓄積された電荷とによって生成される電位差とを比較するので、駆動電圧以下まで電荷が排出されることを防止することができる。
【００１８】
また、本発明の一実施形態にかかる表示制御方法は、スクリーン制御工程で立ち上げ電圧及び立ち上げ電圧印加後に該立ち上げ電圧よりも低い電位差をスクリーンに与える維持電圧を含む駆動電圧を、スクリーンに印加する。そして、スクリーン制御工程で立ち上げ電圧印加後に、スクリーンに蓄積された電荷を、スクリーンから排出する。このようにすることにより、電化排出部によって、電荷を排出することができるので、スクリーンに印加される電位差が速やかに維持電圧による電位差まで低下し、オーバードライブ駆動を行っても透過率が低下後上昇する現象により画質が低下することを抑えることができる。
【実施例１】
【００１９】
本発明の第１の実施例にかかる表示制御装置を備える表示装置１を図１乃至図７を参照して説明する。表示装置１は図１に示すように、スクリーン２１と、本実施例にかかる表示制御装置としての同期制御部３１と、を備え、プロジェクタ１１が接続されている。表示装置１は、プロジェクタ１１の映像光をスクリーン２１で透過散乱する透過型プロジェクション装置である。
【００２０】
プロジェクタ１１は、走査周期中にスクリーン２１上で黒状態（投射光が出ない状態）を順次シフトさせる透過型あるいは反射型液晶ライトバルブなどを使用できるが、これ以外の素子を用いてもよい。また、プロジェクタ１１は、映像の走査周期においてラスター走査し、スクリーン２１の表示面に映像光（画像光）を点順次で投射するものでもよい。つまり、映像光が所定の周期で間欠的に投射される。このプロジェクタ１１では、強度変調された光ビームの照射方向を可動ミラーで反射して振るような、例えばレーザプロジェクタなどを用いることができる。このプロジェクタ１１は、映像光の照射位置がスクリーン２１上の一方向に順次走査されているものと同様に考えることができる。
【００２１】
プロジェクタ１１は、スクリーン２１へ映像情報（画像情報）により変調された映像光を投射できるものであればよい。なお、映像情報は、プロジェクタ１１に入力される映像信号から得られる。映像信号には、たとえば、ＮＴＳＣ（National Television Standards Committee）方式、ＰＡＬ（Phase Alternation by Line）方式のようなアナログ方式の映像信号、ＭＰＥＧ−ＴＳ（Moving Picture Experts Group − Transport Stream）フォーマット、ＨＤＶ（High-Definition Video）フォーマットのようなデジタルフォーマットの映像信号がある。プロジェクタ１１には、動画の映像信号だけでなく、たとえばＪＰＥＧ（Joint Photographic Experts Group）のような静止画の映像信号が入力されてもよい。この場合、プロジェクタ１１は、静止画を表示するための同じ映像光で、スクリーン２１を繰り返し走査すればよい。
【００２２】
スクリーン２１は、電圧の印加により光学状態を変化できるものであればよい。スクリーン２１の光学状態は、散乱状態が映像状態であり、それよりも入射光の散乱が小さく且つ平行光線透過率が高い透明な透過状態が非映像状態である。即ち、光に対し透過状態と散乱状態とを切り替え可能となっている。
【００２３】
スクリーン２１は、例えば、液晶材料を用い、散乱状態と入射光の散乱が小さい透明な透過状態を変化させる調光スクリーンなどでよい。調光スクリーンには、例えば、高分子分散液晶などの液晶素子を用いたもの、透明セル内の白色粉体を移動させることで散乱状態と入射光の散乱が小さい透明な透過状態を制御する素子などを用いたものなどがある。
【００２４】
図２に、光学状態を制御可能なスクリーン２１の模式的な断面図を示す。図２に示したスクリーン２１は、一対の透明なガラス板２３、２４の間に液晶を含む複合材料等を挟み込んだ光学層２５を有する。一方のガラス板２４の光学層２５側には、全面に対向電極２６が形成される。他方のガラス板２３の光学層２５側には、全面に制御電極２７が配置される。なお、電極２６、２７と光学層２５との間に、絶縁体からなる中間層を形成してもよい。
【００２５】
また、対向電極２６および制御電極２７は、たとえばＩＴＯ（酸化インジウム・スズ）により、透明電極として形成される。光学層２５は、制御電極２７と対向電極２６との間に配置される。また、対向電極２６および制御電極２７は、少なくともいずれか一方が、入射光の一部を透過させるハーフミラーとなるような電極として構成されていてもよい。
【００２６】
スクリーン２１は、第１電極としての対向電極２６と第２電極としての制御電極２７との間に電位差を生じるように電圧が印加される。光学層２５内の光学状態は、対向電極２６と制御電極２７の印加電圧により変化する。
【００２７】
スクリーン２１は、電位差を生じるように電圧が印加された際の状態によりリバースモードとノーマルモードに分類される。リバースモードで動作するスクリーン２１は、電圧を印加していない通常状態において、スクリーン２１が透明な透過状態となる。電圧を印加すると、印加電圧に応じた平行光線の散乱率の散乱状態となる。ノーマルモードで動作するスクリーンでは、電圧を印加していない通常状態において、スクリーンが散乱状態となる。電圧を印加すると、印加電圧に応じた平行光線透過率の透明な透過状態となる。そして、スクリーン２１の光学状態は、所定の散乱状態が映像状態に対応し、それよりも平行光線透過率が高い透明な透過状態が非映像状態に対応する。なお、本実施例では、リバースモードで説明するが、ノーマルモードでも適用できる。
【００２８】
同期制御部３１は、映像（画像）が光として投射されるスクリーン２１を、投射された映像光を散乱する状態に制御し、投射されていない場合に透過状態に制御する。つまり、散乱状態のときにプロジェクタ１１から映像が投影される。同期制御部３１は、図１に示したように、プロジェクタ１１とスクリーン２１とに接続される。同期制御部３１は、プロジェクタ１１の映像光の投射に同期させて、スクリーン２１の光学状態を制御する。
【００２９】
次に、本実施例にかかる表示装置１において、スクリーン２１の光学特性と同期して投射するプロジェクタ１１の投射方式を、図３を参照して説明する。図３は、プロジェクタ１１がインターバルを空けて映像光を投射する方式の説明図である。この場合、スクリーン２１には、図３（Ｂ）に示すように、走査周期の一部において短期的に映像光が投射される。スクリーン２１は、図３（Ｃ）に示すように、該一部の期間において散乱状態とすればよい。
【００３０】
そして、該一部以外の期間において、スクリーン２１の透過状態とするようにスクリーン２１の光学状態を制御すると、走査周期において、映像の輝度低下を招くことなく、スクリーン２１のシースルー特性が得られる。定常的に映像光を投射する場合に比べ、同一輝度を得るには、１走査周期に対する散乱状態の時間程度のデューティ（図中ｄｕｔｙ：ａ）の概ね逆数倍の強さの投影光が必要となる。従って高いシースルー特性を得るには、強力なパルス発光の投射光出力が必要である。
【００３１】
このようにプロジェクタ１１とスクリーン２１とを制御することで、スクリーン２１は、その背面の物体を認識しうる透明さを有しつつ、常時散乱状態とした場合と同等の明るさで映像光を散乱して透過できる。つまり、背景物体を認識することが可能なシースルー性と、映像の高い視認性とを両立することが可能となる。
【００３２】
このプロジェクタ１１とスクリーン２１との同期制御のための切り替えタイミングの情報は、プロジェクタ１１が出力する垂直同期信号等の画像周期信号に基づいて、同期制御部３１からスクリーン２１へ送出される。なお、プロジェクタ１１およびスクリーン２１と同期制御部３１をマイクロ波、赤外線などの電磁波を用いたワイヤレス通信可能とし、これらの同期を得るための情報を無線信号により授受してもよい。
【００３３】
表示装置１では、たとえば図１の設置環境下では、図４に示したように画像を視認できる。図４は、映像光による映像とスクリーン２１の背景とが重なる表示状態の説明図である。図４では、スクリーン２１に映像光による三角形と円形の画像が映るとともに、スクリーン２１の向こう側にある背景としての樹木４２も同時に見ることができる。
【００３４】
次に、図５に同期制御部３１の機能的構成を示す。同期制御部３１は、電源回路３２と、スクリーン制御部、電荷排出部としての駆動回路３３、３４と、を有している。
【００３５】
電源回路３２は、立ち上げ駆動電圧生成部３２１と、安定駆動電圧生成部３２２と、電圧切替回路３２３と、を有している。
【００３６】
立ち上げ駆動電圧生成部３２１は、オーバードライブ駆動をするための立ち上げ駆動電圧（立ち上げ電圧）を生成する。
【００３７】
安定駆動電圧生成部３２２は、立ち上げ駆動電圧よりも小さい絶対値の電圧であって、
立ち上げ駆動電圧印加後に該立ち上げ駆動電圧よりも低い電位差をスクリーン２１に与える安定駆動電圧（維持電圧）を生成する。この安定駆動電圧は、スクリーン２１を散乱状態に安定的に維持することができる電圧である。
【００３８】
電圧切替回路３２３は、立ち上げ駆動電圧生成部３２１が生成した立ち上げ駆動電圧と、安定駆動電圧生成部３２２が生成した安定駆動電圧と、を例えば、垂直同期信号等の画像周期信号に基づいて生成される立ち上げ信号より切り替える。従って、電圧切替回路３２３が出力する電圧がスクリーン２１の駆動電圧となる。
【００３９】
駆動回路３３は、同期制御部３１内部で生成される駆動制御信号に基づいて電源回路３２から出力される駆動電圧をスクリーン２１の対向電極２６に印加する。
【００４０】
駆動回路３４は、同期制御部３１内部で生成される駆動制御信号に基づいて電源回路３２から出力される駆動電圧をスクリーン２１の制御電極２７に印加する。従って、駆動回路３３、３４は、駆動電圧を、スクリーン２１に印加することによってスクリーン２１における透過状態と散乱状態との切り替え制御を行う。
【００４１】
そして、駆動回路３３、３４は、立ち上げ駆動電圧印加後に同期制御部３１内部で生成される電荷排出制御信号に基づいて、例えば対向電極２６又は制御電極２７を接地電位に接続してスクリーン２１に蓄積されている電荷を排出する。即ち、駆動回路３３、３４は、立ち上げ電圧印加後に、スクリーン２１に蓄積された電荷を、スクリーンから排出する。
【００４２】
次に、上述した構成の同期制御部３１の動作について図６のタイミングチャートを参照して説明する。
【００４３】
まず、１映像周期Ｔの先頭（時刻ｔ１）で、立ち上げ信号をＯＮにするとともに駆動制御信号をＯＮにする。すると、電源回路３２の電圧切替回路３２３は、出力する電圧を立ち上げ駆動電圧生成部３２１が生成する立ち上げ駆動電圧Ｖ１に切り替え、駆動回路３３が立ち上げ駆動電圧Ｖ１を対向電極２６に印加する。一方、駆動回路３４は、制御電極２７に電源回路３２が出力する電圧を印加しない。従って、スクリーン２１に印加される電位差（スクリーン印加電圧）としては、立ち上げ駆動電圧Ｖ１となり、スクリーン２１がオーバードライブ駆動により安定駆動電圧を印加した場合よりも高速に散乱状態へ変化し始める。
【００４４】
次に、時刻ｔ１からスクリーン２１を散乱状態に立ち上げるのに必要な期間が経過した時刻ｔ２で、立ち上げ信号をＯＦＦにするとともに映像投影信号及び電荷排出信号をＯＮにする。すると、電源回路３２の電圧切替回路３２３は出力する電圧を安定駆動電圧生成部３２２が生成する安定駆動電圧Ｖ２に切り替えるが、電荷排出信号がＯＮになるので、駆動回路３３は対向電極２６を接地電位に接続するために対向電極２６は接地電位（図６では０ボルト）となる。対向電極２６を接地電位に接続することで、スクリーン２１に蓄積されている電荷が排出される。従って、対向電極２６の電圧は急速に低下する。
【００４５】
即ち、駆動回路３３、３４は、立ち上げ駆動電圧を印加した後かつ安定駆動電圧を印加する前に、安定駆動電圧よりも低い電位差をスクリーン２１に与える接地電位（電荷排出電圧）を印加している。
【００４６】
なお、映像制御信号は、図５には図示していないが、プロジェクタ１１に対して映像光の投影を指示するための制御信号である。従って、この映像制御信号がＯＮの期間プロジェクタ１１は映像光をスクリーン２１に投影する。
【００４７】
次に、時刻ｔ２から予め定めた一定の期間経過した時刻ｔ３で、電荷排出信号をＯＦＦにする。すると、駆動回路３３は対向電極２６に安定駆動電圧Ｖ２を印加する。従って、スクリーン印加電圧としては、安定駆動電圧Ｖ２となる。時刻ｔ２〜ｔ３の期間は、スクリーン２１に蓄積された電荷を排出するために定めた期間であり、光学層２５の材料や立ち上げ駆動電圧Ｖ１、安定駆動電圧Ｖ２等に基づいて適宜設定する。
【００４８】
なお、本実施例において、スクリーン２１に蓄積されている電荷は全て排出する必要はなく、安定駆動電圧Ｖ２になる程度まで排出できればよい。
【００４９】
次に、時刻ｔ３から一定期間経過した時刻ｔ４で、駆動制御信号をＯＦＦにする。すると、駆動回路３４は制御電極２７に安定駆動電圧Ｖ２を印加する。このため、対向電極２６と制御電極２７との間の電位差が無くなり、スクリーン印加電圧としては０ボルトとなる。従って、スクリーン２１は透過状態へ変化し始める。
【００５０】
なお、映像投影信号は、時刻ｔ４までの任意の時刻にＯＦＦにすればよい。即ち、駆動制御信号がスクリーン２１の散乱状態に期間を定めているので、その散乱状態に映像光が投影されるようにすればよい。
【００５１】
次の１映像周期Ｔの先頭（時刻ｔ５）では、時刻ｔ１と同様に、立ち上げ信号をＯＮとともに駆動制御信号をＯＮにする。すると、電源回路３２の電圧切替回路３２３は、出力する電圧を立ち上げ駆動電圧生成部３２１が生成する立ち上げ駆動電圧Ｖ１に切り替える。この周期では、駆動回路３４から立ち上げ駆動電圧Ｖ１を制御電極２７に印加する。一方、駆動回路３３は、対向電極２６に電源回路３２が出力する電圧を印加しない。そして、スクリーン２１には立ち上げ駆動電圧Ｖ１が負電位として印加されて、オーバードライブ駆動によりスクリーン２１が散乱状態へ変化し始める。この周期で負電位を印加するのは、本実施例では対向電極２６側、制御電極２７側ともに矩形波が入力されて１映像周期毎にスクリーン電極間電圧の電圧極性が変化するフレーム反転方式で駆動しているためである。
【００５２】
時刻ｔ６〜ｔ８は、時刻ｔ２〜ｔ４と同様である。従って、時刻ｔ６〜ｔ７でスクリーン２１に蓄積された電荷が排出される。以降、このような動作を繰り返して駆動することで、例えば図４に示したような表示がなされる。
【００５３】
以上の説明から明らかなように、図６で説明した動作がスクリーン制御工程であり、そのうち、時刻ｔ３〜ｔ４（時刻ｔ６〜ｔ７）の動作が電荷排出工程となっている。
【００５４】
次に、上述した本実施例の構成の場合と、従来の構成（電荷排出回路無し）の場合との比較を図７に示す。図７は、左側縦軸が駆動電圧、右側縦軸が透過率相対比、横軸は時間を示している。そして、実線が本実施例の構成における駆動電圧の変化、破線が従来の構成における駆動電圧の変化を示し、一点鎖線が本実施例の構成における透過率相対比の変化、二点鎖線が従来の構成における透過率構成比の変化を示している。また、図中ｔ２、ｔ４は、図６の時刻ｔ２、ｔ４に対応する。
【００５５】
図７に示したように、従来の構成では、駆動電圧が立ち上げ駆動電圧から安定駆動電圧まで緩やかに低下する。そのため、透過率相対比が低下した後に若干上昇してしまう。それに対して、本実施例の構成では、スクリーン２１に蓄積されている電荷が排出されるので、駆動電圧が立ち上げ駆動電圧から安定駆動電圧まで急速に低下する。そのため、透過率相対比が低下した値を維持できる。
【００５６】
本実施例によれば、同期制御部３１が立ち上げ駆動電圧及び立ち上げ駆動電圧印加後に該立ち上げ駆動電圧よりも低い電位差をスクリーン２１に与える安定駆動電圧を、スクリーン２１に印加することによってスクリーン２１における透過状態と散乱状態との切り替え制御を行う。そして、立ち上げ駆動電圧印加後に、スクリーン２１に接地電位を一定期間与えて、スクリーン２１に蓄積された電荷を、スクリーン２１から排出する。このようにすることにより、スクリーン２１に蓄積された電荷を排出することができるので、スクリーン２１に印加される電位差が速やかに安定駆動電圧による電位差まで低下し、オーバードライブ駆動を行っても透過率が低下後上昇する現象により画質の低下を抑えることができる。
【実施例２】
【００５７】
本発明の第２の実施例にかかる表示制御装置を図８及び図９を参照して説明する。本実施例は、図８に示したように、電荷排出回路３５を設けている。電荷排出回路３５は、比較器３５１と、スイッチ３５２と、ダイオード３５３と、を有している。
【００５８】
比較器３５１は、電源回路３２から出力されている駆動電圧（駆動電圧の電位差）と駆動回路３３又は駆動回路３４がスクリーン２１に印加している電圧（スクリーン２１に蓄積された電荷とによって生成される電位差）とを比較する。
【００５９】
スイッチ３５２は、比較器３５１の比較の結果、スクリーン２１に印加している電圧の方が電源回路３２から出力されている駆動電圧より大きい場合はＯＮとなり、駆動回路３３又は駆動回路３４を接地電位に接続する。また、比較器３５１の比較の結果、スクリーン２１に印加している電圧の方が電源回路３２から出力されている駆動電圧より小さい場合はＯＦＦとなり、電源回路３２と駆動回路３３又は駆動回路３４とを接続する。スイッチ３５２は例えばトランジスタ等で構成すればよい。
【００６０】
ダイオード３５３は、電源回路３２とスイッチ３５２との間に接続されて保護回路として機能する。
【００６１】
第１の実施例では、予め定めた一定期間、例えばスイッチ３５２のような回路をＯＮにして、駆動回路３３又は駆動回路３４を接地電位に接続していたが、本実施例では、比較器３５１の出力結果によってスイッチ３５２のＯＮ又はＯＦＦを切り替える点が異なる。
【００６２】
次に、上述した構成の同期制御部３１の動作について図９のタイミングチャートを参照して説明する。基本的な動作は図６のタイミングチャートと同様である。図９においては、電源電圧−スクリーン印加電圧が追加されている。これは、比較器３５１の比較動作を示すものである。比較器３５１の比較の結果、スクリーン２１に印加されている電圧（電位差）が電源回路３２が出力する電圧（電位差）よりも高い（大きい）場合は、比較器３５１は、その出力をハイレベル（ＯＮ）としスイッチ３５２をＯＮにする。即ち、比較器３５１の出力が電荷排出制御信号となる。
【００６３】
そして、比較器３５１の比較の結果、スクリーン２１に印加されている電圧が電源回路３２が出力する電圧よりも低くなると、比較器３５１は、その出力をローレベル（電荷排出制御信号：ＯＦＦ）としスイッチ３５２をＯＦＦにする。
【００６４】
本実施例によれば、電荷排出回路３５は、立ち上げ駆動電圧印加後、電源回路３２の電圧と駆動回路３３又は駆動回路３４の電圧とを比較器３５１で比較して、駆動回路３３又は駆動回路３４の電圧が電源回路３２の電位差よりも大きい場合に、スイッチ３５２をＯＮにしてスクリーン２１から電荷を排出するようにしている。このようにすることにより、実際の電源回路３２の電圧と駆動回路３３又は駆動回路３４の電圧とを比較器３５１で比較するので、安定駆動電圧Ｖ２以下まで電荷が排出されることを防止することができる。
【００６５】
なお、上述した実施例では、スクリーン２１をフレーム反転方式で駆動していたが、コモンＤＣ方式の駆動であっても本発明を適用できる。コモンＤＣ方式は、対向電極２６側の電圧が中間電位（例えば０ボルト）に一定で、対向する制御電極２７側の電圧が正または負の電位となる矩形波となってスクリーン電極間電圧が変動するものである。
【００６６】
また、第１、第２の実施例ではスクリーン２１は全面が一括で散乱状態と透過状態とに切り替えるようにしていたが、図１０に示したように、スクリーン２１が複数の領域に分割され、スクリーン２１の上から順に散乱状態とし、散乱状態となっている領域に映像光を投影する方式であってもよい。
【００６７】
図１０は、スクリーン２１の映像光が照射される領域を、一方向（たとえば走査方向）で短冊状に分割している（分割領域）。図１０は、制御電極２７が分割領域に対応して複数に分割され同期制御部３１に個別に接続され、個別に電圧を印加することができるようになっている。
【００６８】
このようにスクリーン２１を構成することで、各分割領域毎に散乱状態と透過状態とを切り替えることができる。従って、スクリーン２１についての走査光が照射される部位は、映像状態に維持される。これにより、スクリーン２１を走査する映像光は、散乱状態のスクリーン２１で散乱される。また、スクリーン２１についての走査光が照射されない部位は、非映像状態に制御される。各分割領域は、走査光により走査されていない殆どの期間において、非映像状態の透明な透過状態に制御される。映像光の投影期間中に、映像の視認性を保ちつつ、スクリーン２１のシースルー特性が得られる。
【００６９】
スクリーン２１の各分割領域は、各々の領域を映像光が走査し始めるタイミングより前に、透明な透過状態から散乱状態に制御される。また、散乱状態の分割領域は、当該領域についての走査が終了した後に、散乱状態から透明な透過状態に制御される。つまり、制御電極２７が複数の領域に分割されており、分割された制御電極２７の各領域に対応する光学層２５の光学状態を変化させるタイミングを順次切り替えるように電圧の印加タイミングを順次切り替えるようにしてもよい。
【００７０】
従って、スクリーン２１は、その背面の物体を認識しうる透明さを有しつつ、常時散乱状態とした場合と同等の明るさで映像光を散乱して透過できる。つまり、背景物体を認識することが可能なシースルー性と、映像の高い視認性とを両立することが可能となる。
【００７１】
このような構成の場合でも、分割領域を１つのセルとしてみた場合は、テレビ等に利用される液晶ディスプレイよりも静電容量成分が非常に大きい。そのため、このような構成に、第１、第２の実施例の構成を適用することでスクリーンに印加される電位差が速やかに維持電圧による電位差まで低下し、オーバードライブ駆動を行ってもシュート現象による画質の低下を抑えることができる。
【００７２】
また、上述した実施例では、電荷排出のために接地電位に接続していたが、接地電位に限らず、安定駆動電圧Ｖ２よりも低い電圧（安定駆動電圧Ｖ２によりスクリーン２１に与える電位差よりも小さい電位差）であればよい。
【００７３】
また、本発明は上記実施例に限定されるものではない。即ち、当業者は、従来公知の知見に従い、本発明の骨子を逸脱しない範囲で種々変形して実施することができる。かかる変形によってもなお本発明の表示制御装置の構成を具備する限り、勿論、本発明の範疇に含まれるものである。
【符号の説明】
【００７４】
１              表示装置
１１            プロジェクタ
２１            スクリーン
３１            同期制御部（表示制御装置）
３２            電源回路
３３            駆動回路
３４            駆動回路
３５            電荷排出回路
３５１          比較器
３５２          スイッチ
Ｖ１            立ち上げ駆動電圧
Ｖ２            安定駆動電圧
【図１】
2016180875.tif 000003
【図２】
2016180875.tif 000004
【図３】
2016180875.tif 000005
【図４】
2016180875.tif 000006
【図５】
2016180875.tif 000007
【図６】
2016180875.tif 000008
【図７】
2016180875.tif 000009
【図８】
2016180875.tif 000010
【図９】
2016180875.tif 000011
【図１０】
2016180875.tif 000012